(57)【要約】      （修正有）【課題】使用済みの弁当箱の残菜やシートを除去し、伏せた状態で洗浄装置へ受け渡すことができて、小型化及び簡素化された前処理装置を提供する。【解決手段】第１に、搬送コンベア２を下面側が洗浄装置に向かうよう直線的に設置し、第２に、搬送コンベア２に、弁当箱の保持部材を設けた弁当箱フォルダ３が、折り返し位置で搬送コンベア２から無用な圧を加えられないよう装着され、第３に、搬送コンベア２の移動路の上面側の上流位置の弁当箱投入部１１、その下流で弁当箱の保持を開始する弁当箱保持部１２、折り返し位置の下方部から下流へと設けられ残菜等の除去部１３、その下流の弁当箱受渡部１４とを設けた前処理装置１とすることで、上向きに投入した弁当箱を反転させ、残菜やシートの除去を水を使わずに行い、伏せた状態で洗浄装置へ受け渡すことができる。【選択図】図１
2014018455.tif 000002
【特許請求の範囲】
【請求項１】
内側にシートが敷かれた使用済み弁当箱であって、該弁当箱に残った残菜及びシートを除去した後、該弁当箱を洗浄装置に搬送する前処理装置において、
上面側が前記洗浄装置より遠ざかる方向へ進行し、下面側が該洗浄装置に向かって進行するよう輪状に張って直線的に設置された搬送コンベアを備え、
該搬送コンベアの表面の搬送面側に、弁当箱の保持及び解放の切替手段となる保持部材を内側に設けた弁当箱フォルダが、該搬送コンベアの折り返し回転位置で該搬送コンベアにより無用な圧を加えられない装着手段により装着されたものであって、
前記搬送コンベアの移動路に、該搬送コンベアの上面側の上流位置に設けられる弁当箱が投入される弁当箱投入部と、
該弁当箱投入部の下流で且つ前記洗浄装置と反対方向の折り返し回転位置の手前に設けられる弁当箱の保持を開始する弁当箱保持部と、
該搬送コンベアの前記洗浄装置と反対方向の折り返し回転位置の下方部に設けられ弁当箱に残った残菜及びシートの除去を行う除去部と、
該除去部の下流で前記洗浄装置側の折り返し回転位置の下方部に設けられて弁当箱の保持を解除して落下させ前記洗浄装置へ弁当箱を受け渡す弁当箱受渡部と、を設け、
前記弁当箱投入部で前記弁当箱フォルダに使用済み弁当箱を投入し、前記弁当箱保持部、前記除去部、前記弁当箱受渡部と該弁当箱を搬送し、前記洗浄装置に受け渡すことを特徴とする前処理装置。
【請求項２】
上記除去部に、上記弁当箱フォルダに保持された弁当箱のシートの端部に向かってやや下方より気体を噴射する気体噴射機構が設けられた請求項１に記載の前処理装置。
【請求項３】
上記搬送コンベアが、左右で同方向に並走するチェーンベルトで、
上記弁当箱フォルダが該搬送コンベアの折り返し回転位置で該搬送コンベアにより無用な圧を加えられない装着手段が、前記チェーンベルトの走行方向に直交する方向の左右同位置における１ピッチ分の外継ぎ手プレートに、取付具を固定し、該取付具に弁当箱フォルダを固定する手段である請求項１又は２に記載の前処理装置。
【請求項４】
上記保持部材が、上記弁当箱フォルダの移動方向に長尺で該移動方向と直交する方向に進退可能な可動板と、該可動板と対向する側の上記弁当箱フォルダの側壁である固定壁とよりなり、前記可動板を該固定壁に向かって進めることにより両者の間に弁当箱を挟持して保持するものであるとともに
弁当箱の保持及び解放の切替手段が、
上記搬送コンベアの移動方向に沿い且つその間隔を保持及び解放のために大きく又は小さく設定したガイドレールと、該ガイドレールに当接しながら前記弁当箱フォルダと共に移動するフォロアと、前記ガイドレールの間隔により接近又は離隔する該フォロアの動作を前記保持部材に伝達する連結部材とでなり、
該フォロアの接近により前記保持部材に弁当箱を保持可能な間隔を確保させ、該フォロアの隔離により前記保持部材に弁当箱を解放可能な間隔を確保させることを特徴とする請求項１又は２又は３に記載の前処理装置。
【請求項５】
上記保持部材の固定壁と可動板との間に間隔調整アタッチメントを設け、前記可動板を該間隔調整アタッチメントに向けて進めることにより両者の間に上記弁当箱を挟持して保持可能とする請求項４に記載の前処理装置。
【発明の詳細な説明】
【技術分野】
【０００１】
本発明は、内側にシートが敷かれた使用済み弁当箱に残った残菜及びシートを除去した後、該弁当箱を自動洗浄装置に搬送する前処理装置に関するものである。
【背景技術】
【０００２】
従来、内側にシートが敷かれた使用済み弁当箱を自動洗浄装置で洗浄する場合、使用済みのシートや残菜を人手で弁当箱より除去したり、弁当箱の内側に多量の水をあて、水の勢いで残菜やシートを落下させた後に、自動洗浄装置に送る方法が一般的であった。
【０００３】
しかし、水を噴射し、あてただけでは残菜が落下しない場合も存在し、確実に残菜を除去する方法が検討されていた。そこで特許文献１に示すように内側に向かって放水した後、弁当箱を反転させる際に回転羽根で弁当箱を投打して残菜の除去を確実にしようとする手段が考えられていた。
【０００４】
しかし、特許文献１の洗浄前処理装置は、第１移送ラインと、多種類の装置が組み合わされて形成される第２移送ラインとが並設され、この第１移送ラインと第２移送ラインとが、回転部により繋げられるというものであった。従って、その装置の構造と搬送経路は複雑となり、大型の前処理装置を必要とするものであった。
【先行技術文献】
【特許文献】
【０００５】
【特許文献１】特開平９−６６０１６号公開特許公報
【発明の概要】
【発明が解決しようとする課題】
【０００６】
本発明は、弁当箱の搬送コンベアを水平面で回転させたり、複数の搬送コンベアを利用したりしないで、単一の搬送コンベアを、上面側が洗浄装置より遠ざかる方向へ進行し、下面側が洗浄装置に向かって進行するよう輪状に張って直線的に設置し、使用済み弁当箱を上向きに投入し、搬送コンベアの垂直面での折り返し回転により、搬送弁当箱を反転させ、残菜やシートの除去を水を使わずに行い、そのまま伏せた状態で洗浄装置の搬入部へ受け渡すことを可能とし、前処理装置の小型化及び簡素化を図ることを目的とする。
【課題を解決するための手段】
【０００７】
上記課題を解決するため第１の発明は、前処理装置に次の手段を採用する。
第１に、内側にシートが敷かれた使用済み弁当箱であって、該弁当箱に残った残菜及びシートを除去した後、該弁当箱を洗浄装置に搬送する前処理装置とする。
第２に、上面側が前記洗浄装置より遠ざかる方向へ進行し、下面側が該洗浄装置に向かって進行するよう輪状に張って直線的に設置された搬送コンベアを備える。
第３に、該搬送コンベアの表面の搬送面側に、前記弁当箱の保持及び解放の切替手段となる保持部材を内側に設けた弁当箱フォルダが、該搬送コンベアの折り返し回転位置で該搬送コンベアにより無用な圧を加えられない装着手段により装着されたものである。
第４に、前記搬送コンベアの移動路に、該搬送コンベアの上面側の上流位置に設けられる前記弁当箱が投入される弁当箱投入部と、該弁当箱投入部の下流で且つ前記洗浄装置と反対方向の折り返し回転位置の手前に設けられる前記弁当箱の保持を開始する弁当箱保持部と、該搬送コンベアの前記洗浄装置と反対方向の折り返し回転位置の下方部に設けられ該弁当箱に残った残菜及びシートの除去を行う除去部と、該除去部の下流で前記洗浄装置側の折り返し回転位置の下方部に設けられて前記弁当箱の保持を解除して落下させ前記洗浄装置へ前記弁当箱を受け渡す弁当箱受渡部と、を設ける。
第５に、前記弁当箱投入部で前記弁当箱フォルダに使用済み弁当箱を投入し、前記弁当箱保持部、前記除去部、前記弁当箱受渡部と該弁当箱を搬送し、前記洗浄装置に受け渡すことを特徴とする。
【０００８】
第２の発明は、第１の発明における除去部に、上記弁当箱フォルダに保持された弁当箱のシートの端部に向かってやや下方より気体を噴射する気体噴射機構が設けられたことを付加した前処理装置とする。
【０００９】
第３の発明は、第１又は第２の発明に、上記搬送コンベアが、左右で同方向に並走するチェーンベルトで、上記弁当箱フォルダが該搬送コンベアの折り返し回転位置で該搬送コンベアにより無用な圧を加えられない装着手段が、前記チェーンベルトの走行方向に直交する方向の左右同位置における１ピッチ分の外継ぎ手プレートに、取付具を固定し、該取付具に弁当箱フォルダを固定する手段であることを付加した前処理装置とする。
【００１０】
第４の発明は、第１又は第２又は第３の発明に次の手段を付加した前処理装置とする。
第１に、上記保持部材が、上記弁当箱フォルダの移動方向に長尺で該移動方向と直交する方向に進退可能な可動板と、該可動板と対向する側の上記弁当箱フォルダの側壁である固定壁とよりなり、前記可動板を該固定壁に向かって進めることにより両者の間に弁当箱を挟持して保持するものである。
第２に、弁当箱の保持及び解放の切替手段が、上記搬送コンベアの移動方向に沿い且つその間隔を保持及び解放のために大きく又は小さく設定したガイドレールと、該ガイドレールに当接しながら前記弁当箱フォルダと共に移動するフォロアと、前記ガイドレールの間隔により接近又は離隔する該フォロアの動作を前記保持部材に伝達する連結部材とでなる。
第３に、該フォロアの接近により前記保持部材に弁当箱を保持可能な間隔を確保させ、該フォロアの隔離により前記保持部材に弁当箱を解放可能な間隔を確保させる。
【００１１】
第５の発明は、第４の発明に、上記保持部材の固定壁と可動板との間に間隔調整アタッチメントを設け、前記可動板を該間隔調整アタッチメントに向けて進めることにより両者の間に上記弁当箱を挟持して保持可能とすることを付加した前処理装置とする。
【発明の効果】
【００１２】
第１の発明では、上面側が洗浄装置より遠ざかる方向へ進行し、下面側が洗浄装置に向かって進行するよう直線的に設置され、搬送コンベアの搬送面側に、弁当箱フォルダが装着され、弁当箱投入部で弁当箱フォルダに使用済み弁当箱を投入し、弁当箱保持部、除去部、弁当箱受渡部と弁当箱を搬送し、洗浄装置に受け渡すことを特徴とするものなので、前処理装置の小型化及び簡素化を図ることができた。
【００１３】
又、第１の発明は、弁当箱の保持及び解放の切替手段となる保持部材を内側に設けた弁当箱フォルダを有するため、折り返し回転位置で搬送コンベアが垂直方向で回転し、そのまま移動したとしても弁当箱が落下するおそれがなくなった。更に、折り返し回転位置で搬送コンベアにより無用な圧を加えられない装着手段により弁当箱フォルダが装着されているので、弁当箱フォルダを搬送コンベアに装着することができた。
【００１４】
更に、搬送コンベアの移動路に設けられた弁当箱投入部で弁当箱フォルダに使用済み弁当箱を投入し、弁当箱保持部、除去部、弁当箱受渡部と該弁当箱を搬送し、前記洗浄装置に受け渡すこととしたので、作業の効率化を図ることのできる前処理装置となった。
【００１５】
又、弁当箱の保持を開始する弁当箱保持部が、弁当箱投入部の下流で且つ洗浄装置と反対方向の折り返し回転位置の手前に設けられるので、前処理装置の前に複数人立つスペースを確保することにより、作業効率のよい装置となった。
【００１６】
第２の発明の効果ではあるが、折り返し回転位置の下方部に設けられた除去部に、弁当箱フォルダに保持された弁当箱のシートの端部から弁当箱とシートの間に向かってやや下方より気体を噴射することができるので、下向きになろうとする弁当箱と下向きになった弁当箱から、確実にシート等を除去することのできる前処理装置となった。
【００１７】
第３の発明の効果ではあるが、チェーンベルトの走行方向に直交する方向の左右同位置における１ピッチ分の外継ぎ手プレートに、取付具を固定し、該取付具に弁当箱フォルダを固定する手段としたので、弁当箱フォルダが、折り返し回転位置で搬送コンベアにより無用な圧を加えられない装着手段となった。
【００１８】
第４の発明の効果ではあるが、保持部材である可動板と固定壁との間に弁当箱を挟持して保持するものであって、弁当箱の保持及び解放の切替手段が、その間隔を保持及び解放のために大きく又は小さく設定したガイドレールと、該ガイドレールに当接しながら弁当箱フォルダと共に移動するフォロアと、ガイドレールの間隔により接近又は離隔するフォロアの動作を保持部材に伝達する連結部材とでなり、フォロアの接近により保持部材に弁当箱を保持可能な間隔を確保させ、フォロアの隔離により保持部材に弁当箱を解放可能な間隔を確保させるという、簡単な構造で弁当箱の保持及び解放が確実で自動的に行える前処理装置となった。
【００１９】
第５の発明の効果ではあるが、保持部材の固定壁と可動板との間に間隔調整アタッチメントを設け、可動板を該間隔調整アタッチメントに向けて進めることにより両者の間に弁当箱を挟持して保持可能とすることにより、多種類の大きさの弁当箱に対応可能な前処理装置となった。
【図面の簡単な説明】
【００２０】
【図１】前処理装置のチェーンベルトと弁当箱フォルダとの関係を示す側面説明図
【図２】同平面説明図
【図３】弁当箱フォルダの拡大平面説明図
【図４】Ａ−Ａ線部分拡大断面説明図
【図５】ガイドレールの間隔を示す部分平面説明図
【図６】洗浄装置と前処理装置との関係を示す側面説明図
【図７】間隔調整アタッチメントを用いて幅狭の弁当箱を保持した状態を示す弁当箱フォルダの拡大平面説明図
【図８】同断面説明図
【図９】間隔調整アタッチメントを用いて幅広の弁当箱を保持した状態を示す弁当箱フォルダの拡大平面説明図
【図１０】同断面説明図
【発明を実施するための形態】
【００２１】
以下、図面に従って、実施例と共に本発明の実施の形態について説明する。
本実施例に係る前処理装置１は、図６に示すように、内側にシートが敷かれた使用済み弁当箱８を洗浄装置５へ搬送する搬送コンベア２と弁当箱８を保持及び解放するため搬送コンベア２に固定される弁当箱フォルダ３と使用済み弁当箱８に残った残菜及びシートの除去を行う除去装置（図１及び図２に示される）とを有する。尚，図６中符号６は、搬送コンベア２の下流端付近の下方に設置された洗浄装置５の搬入部である。
【００２２】
搬送コンベア２は、輪状でエンドレスに張られ、洗浄装置５に向かって直線的に設置される。搬送コンベア２の走行方向は図中左回りである。即ち、図６及び図１の太い矢印に示されるように、搬送コンベア２の上面側が洗浄装置５より遠ざかる方向へ進行し、下面側が洗浄装置５に向かって進行する。
【００２３】
図６及び図１に示されるように搬送コンベア２の移動路には、弁当箱投入部１１と、弁当箱保持部１２と、使用済み弁当箱のシート及び残菜を除去する除去部１３と、弁当箱受渡部１４とが設けられる。
【００２４】
弁当箱投入部１１は、搬送コンベア２の上面側の上流位置に設けられ、使用済み弁当箱８が投入される位置である。弁当箱保持部１２は、弁当箱投入部１１の下流で且つ洗浄装置５と反対方向の折り返し回転位置１０ａの手前に設けられる弁当箱８の保持を開始する位置である。
【００２５】
除去部１３は、搬送コンベア２の洗浄装置５と反対方向の折り返し回転位置１０ａの下方部に設けられている。弁当箱受渡部１４は、除去部１３の下流で洗浄装置５側の折り返し回転位置１０ｂの下方部に設けられており、弁当箱８の保持を解除して落下させ洗浄装置５の搬入部６へ弁当箱８を受け渡す位置である。
【００２６】
搬送コンベア２は、図１及び図２に示されるように、基枠７の前後に設けられた左右の前スプロケット２１と後スプロケット２２に輪状でエンドレスとなるよう張設されたチェーンベルト２０Ａ、２０Ｂと弁当箱フォルダ３とを備えている。図６に表れる洗浄装置５より遠方に設置された歯車が、前スプロケット２１であり、洗浄装置５に近い位置に設置された歯車が後スプロケット２２である。
【００２７】
尚、図４に示されるように、基枠７の内側で上面側のチェーンベルト２０Ａ、２０Ｂの下方及び下面側のチェーンベルト２０Ａ、２０Ｂの下方には、チェーンベルト２０Ａ、２０Ｂの保持のための長尺レール２３が敷かれている。
【００２８】
弁当箱フォルダ３は、図３に示されるように、弁当箱８が投入可能な大きさの上面開口部を有する箱体３０と、箱体３０内部で弁当箱８を保持する保持部材３２とによりなる。そして、この弁当箱フォルダ３は、図１及び図２に示されるように、搬送コンベア２の表面（搬送面の上面側及び下面側）に上面開口部を向けてチェーンベルト２０Ａ、２０Ｂに装着されている。
【００２９】
図４及び図５に示されるように、弁当箱８は可動板３２と、可動板３２と向かい合う側の内壁、即ち、可動板３２が位置する側と反対側に存在する内壁である固定壁３１とにより弁当箱８を保持する。即ち、保持部材は可動板３２と固定壁３１とでなる。可動板３２は、固定壁３１に向かって進退可能であり、固定壁３１に向かって進むことにより弁当箱８を押圧して挟持して保持し、反対方向に戻ることにより押圧を解除し弁当箱８を解放する。
【００３０】
弁当箱フォルダ３は、上述したように、搬送コンベア２に装着されている。即ち、弁当箱フォルダ３は、チェーンベルト２０Ａ、２０Ｂに固定され、チェーンベルト２０Ａ、２０Ｂの移動に従って移動する。
【００３１】
弁当箱フォルダ３のチェーンベルト２０Ａ、２０Ｂへの固定は、次のようになされる。即ち、図３及び図４に示されるように、弁当箱フォルダ３の底面中央に左右のチェーンベルト２０Ａ、２０Ｂの間隔に対応する長さの取付テーブル２４を溶着固定する。この取付テーブル２４を、チェーンベルト２０Ａ、２０Ｂの走行方向に直交する方向の左右端部で、同位置にあるチェーンベルト２０Ａ、２０Ｂの１ピッチ分の外継ぎ手プレート２５に固定する。
【００３２】
取付テーブル２４は、チェーンベルト２０Ａ、２０Ｂの折り返し回転位置１０ａでチェーンベルト２０Ａ、２０Ｂが弁当箱フォルダ３に無用な圧を加えないような装着手段とならなければならない。そうでなければ弁当箱フォルダ３を折り返し回転位置１０ａで回転させることができない。そのため、取付テーブル２４はチェーンベルト２０Ａ、２０Ｂの１ピッチ分の外継ぎ手プレート２５にのみ固定されている。
【００３３】
実施例で取付テーブル２４と上記外継ぎ手プレート２５との固定は、プレスナット２６が使用されているが、これに限定されるものではない。尚、プレスナット２６は、チェーンベルト２０Ａ、２０Ｂの外継ぎ手プレート２５に所望の間隔で取り付けられており、図１及び図２及び図６に示されるように弁当箱フォルダ３の進行方向への長さに応じて、前後の弁当箱フォルダ３ａ、３ｂに干渉しない位置のプレスナット２６を利用している。
【００３４】
図３に示されるように、弁当箱フォルダ３の保持部材となる可動板３２は、固定壁３１とで弁当箱８を保持することができる長さで形成された板体である。該可動板３２には、可動板３２を固定壁３１側へ進退させる連結部材３３が固着され、連結部材３３の他端側を弁当箱フォルダ３の壁３７の外へと突出させている。尚、壁３７と可動板３２との間には、弁当箱８を保持するためのスプリング３６が装着されている。即ち、可動板３２は、連結部材３３により固定壁３１側から遠ざかる方向に引かれない限り、弁当箱８側に付勢されており、弁当箱８があれば、それを保持している。
【００３５】
図４に示されるように、連結部材３３の壁３７の外に突出した側の端部は、上面側のチェーンベルト２０Ａの上方、下面側のチェーンベルト２０Ａの下方に設けられた弁当箱８の保持及び解放を案内するガイドレール３８Ａに当接しているフォロア３４Ａに接続されている。尚、弁当箱フォルダ３の固定壁３１の外側にも同様のフォロア３４Ｂに接続される取付体３５が取り付けられており、該取付体３５は、フォロア３４Ｂを介して、上面側のチェーンベルト２０Ｂの上方及び下面側のチェーンベルト２０Ｂの下方に設けられたガイドレール３８Ｂによって位置を決定されている。
【００３６】
固定壁３１側に設置されたガイドレール３８Ｂは、図４に示されるようにチェーンベルト２０Ｂと同位置の上方及び下方に設置される。ガイドレール３８Ｂの位置は搬送コンベア２の移動方向と直交する方向において位置の変更はない。他方、可動板３２側に設置されたガイドレール３８Ａは、図４及び図５に示されるように、弁当箱投入部１１においては、チェーンベルト２０Ａとほぼ同位置の上方に設置されているが、弁当箱保持部１２にては、図５に示されるように、弁当箱投入部１２のチェーンベルト２０Ａの位置より固定壁３１側によった位置に変更されて設置される。
【００３７】
即ち、図５に示されるように、弁当箱投入部１１において、ガイドレール３８Ａとガイドレール３８Ｂの間隔は広く、連結部材３３がチェーンベルト２０Ａ側に引かれ、固定壁３１と可動板３２の間隔が弁当箱８を投入可能な広い間隔を確保する。他方、弁当箱保持部１２の位置でガイドレール３８Ａが固定壁３１側に寄ることにより、ガイドレール３８Ａとガイドレール３８Ｂの間隔が狭くなり、連結部材３３が固定壁３１側に押し出され、固定壁３１と可動板３２の間隔が弁当箱８を挟持可能な間隔となる。
【００３８】
弁当箱保持部１２より除去部１３を経て弁当箱受渡部１４の直前まで、可動板３２と固定壁３１とはスプリング３６に押されて弁当箱８を保持可能な位置を保つ。図４中、上側のガイドレール３８Ａの内、実線で示される部分が、弁当箱投入部１１及び弁当箱受渡部１４におけるガイドレール３８Ａの位置であり、点線で示される部分が弁当箱保持部１２におけるガイドレール３８Ａの位置である。
【００３９】
弁当箱受渡部１４では、ガイドレール３８Ａの位置が元の広い位置に戻り、ガイドレール３８Ａとガイドレール３８Ｂとは、弁当箱投入部１１の位置と同様の広い間隔となり、この結果、連結部材３３はガイドレール３８Ａ側に引き戻され、可動板３２と固定壁３１とは、弁当箱８を解放するに適する間隔に広がり、弁当箱８は弁当箱フォルダ３から落下し、洗浄装置５の搬入部６に搬入される。図４中、下側のガイドレール３８Ａの内、点線で示される部分が弁当箱受渡部１４における位置である。
【００４０】
除去部１３には、弁当箱フォルダ３に保持された弁当箱８のシートの端部、詳しくは弁当箱８とシートの間に向かってやや下方より気体を噴射する気体噴射機構が除去装置として設けられている。除去部１３の下方には、図示されていないが、残菜等回収ベルトコンベアが設置されている。
【００４１】
除去装置としての気体噴射機構は具体的にはエアー噴射ノズル４０を複数設けたものである。図１に示されるようにエアー噴射ノズル４０は、搬送コンベア２の回転位置１０ａの下方位置、及び折り返した後の下面側搬送コンベア２の下方位置に複数個設置される。エアー噴射ノズル４０は、図２に示されるように、弁当箱フォルダ３の底面を外した位置の下方の左右から弁当箱８とシートの間に向かってエアーを噴射可能なるよう設置されている。
【００４２】
実施例でのエアー噴射ノズル４０の形状は筒状のピンホール形であるが、フラット形であってもよく、勿論、フラット形とピンホール形の集合形であってもよい。尚、エアー噴射ノズル４０より吹き出されるエアーは、常温でも熱風でもよい。  
【００４３】
以下、前処理装置１の動きについて説明する。
前処理装置１の搬送コンベア２は、図６及び図１の太い矢印に示されるように移動している。搬送コンベア２の移動路中弁当箱投入部１１の位置で、内側にシートが敷かれた使用済み弁当箱８が開口面を上向きとして弁当箱フォルダ３に投入される。図５に示されるように、弁当箱投入部１１においては、弁当箱フォルダ３で固定壁３１と可動板３２の間隔が弁当箱８の幅より広く設定されているため、投入ができる。
【００４４】
弁当箱８が投入された弁当箱フォルダ３は、弁当箱保持部１２に向かって進行する。図５に示されるように、弁当箱保持部１２の位置では、ガイドレール３８Ａが固定壁３１側に寄り、ガイドレール３８Ａとガイドレール３８Ｂの間隔が狭くなり、連結部材３３が固定壁３１側に押し出され、固定壁３１と可動板３２の間隔が狭くなり弁当箱８を挟持して保持する。
【００４５】
弁当箱８を保持した弁当箱フォルダ３は、回転位置１０ａにて反転し、それと同時に除去部１３内を移動する。除去部１３では、反転による衝撃、残菜等の自重及びエアー噴射ノズル４０からの噴射エアーにより弁当箱８内の残菜及びシートが除去され残菜等回収ベルトコンベアに落下する。
【００４６】
残菜及びシートが除去された弁当箱８を開口面を下向きにして保持する弁当箱フォルダ３は、その後弁当箱受渡部１４に向かって移動する。弁当箱受渡部１４では、ガイドレール３８Ａが元の広い位置に戻り、ガイドレール３８Ａとガイドレール３８Ｂとは、弁当箱投入部１１の位置と同様の広い間隔となり、この結果、連結部材３３はガイドレール３８Ａ側に引き戻され、弁当箱８は弁当箱フォルダ３から解放され、開口面を下向きにした状態で洗浄装置５の搬入部６に搬入される。
【００４７】
その後、受け渡し動作を完了した弁当箱フォルダ３は、回転位置１０ｂで反転する。このとき、弁当箱フォルダ３の固定壁３１と可動板３２の間隔が弁当箱８の幅より広い間隔となっているため、弁当箱投入部１１に戻ったことになる。以上の繰り返し動作により連続的に使用済み弁当箱８を洗浄装置５に搬送することができる。
【００４８】
以上の実施例では、弁当箱フォルダ３での弁当箱８の保持を可動板３２と固定壁３１とで行っていたが、弁当箱フォルダ３で、大小各種の弁当箱８を保持可能とするため、保持部材の固定壁３１と可動板３２との間に図７乃至図１０に示されるような間隔調整アタッチメント３９を設け、可動板３２を該間隔調整アタッチメント３９に向けて進めることにより両者の間に上記弁当箱を挟持して保持可能とする実施例も考えられる。
【００４９】
間隔調整アタッチメント３９は、図７及び図９に示されるように、可動板３２と同方向に長尺で平行な板体を弁当箱フォルダ３の進行方向前後の内壁に、該進行方向を軸として、弁当箱フォルダ３内で内側と外側に回動自在に設置されたものである。間隔調整アタッチメント３９は、図７及び図８及びに示されるように内側に回転させることにより、可動板３２との間隔を狭め、幅の狭い弁当箱８の保持に適するようになり、図９及び図１０に示されるように外側に回転させることにより可動板３２との間隔を広め、幅の広い弁当箱８の保持に適するようになる。  
【符号の説明】
【００５０】
１・・・・・・・・前処理装置
２・・・・・・・・搬送コンベア
３、３ａ、３ｂ・・弁当箱フォルダ
５・・・・・・・・洗浄装置
６・・・・・・・・搬入部
７・・・・・・・・基枠
８・・・・・・・・弁当箱
１０ａ、１０ｂ・・回転位置
１１・・・・・・・弁当箱投入部
１２・・・・・・・弁当箱保持部
１３・・・・・・・除去部
１４・・・・・・・弁当箱受渡部
２０Ａ、２０Ｂ・・チェーンベルト
２１・・・・・・・前スプロケット
２２・・・・・・・後スプロケット
２３・・・・・・・長尺レール
２４・・・・・・・取付テーブル
２５・・・・・・・外継ぎ手プレート
２６・・・・・・・プレスナット
３０・・・・・・・箱体
３１・・・・・・・固定壁
３２・・・・・・・可動板
３３・・・・・・・連結部材
３４Ａ、３４Ｂ・・フォロア
３５・・・・・・・取付体
３６・・・・・・・スプリング
３７・・・・・・・壁
３８Ａ、３８Ｂ・・ガイドレール
３９・・・・・・・間隔調整アタッチメント
４０・・・・・・・エアー噴射ノズル
【図１】
2014018455.tif 000003
【図２】
2014018455.tif 000004
【図３】
2014018455.tif 000005
【図４】
2014018455.tif 000006
【図５】
2014018455.tif 000007
【図６】
2014018455.tif 000008
【図７】
2014018455.tif 000009
【図８】
2014018455.tif 000010
【図９】
2014018455.tif 000011
【図１０】
2014018455.tif 000012